(57)【要約】レンチキュラーレンズシートに入射する、拡散性を付与したフレネルレンズシートによる傾斜入射光成分が、該レンチキュラーレンズシートの出射面に設けられた外光吸収層に遮断されることがないように、前記外光吸収層の開口窓の形状と、前記フレネルレンズシートの拡散成分を適正化し、また、両者を組み合わせることにより、全光線透過率が損なわれることなく、且つ外光吸収層の実質的な遮光面積比率が８０％から９５％近くまで確保された、コントラストが極めて良好で、ギラツキや、モアレ、各種模様欠点がない高品質な背面投射型スクリーン。【特許請求の範囲】
【請求項１】
入射面上に、略垂直方向に長手方向を有しピッチＰ１で略水平方向に配列した第１のレンズ列と、前記第１のレンズ列より光出射側に形成され、前記第１のレンズ列とほぼ直交する方向にピッチＰ２で配列した第２のレンズ列であって、当該第２のレンズ列のレンズ界面の両側が屈折率の異なる透明材料により構成されている第２のレンズ列と、
前記第１のレンズ列及び前記第２のレンズ列を通過した光の非通過位置に設けられた外光吸収層とを備え、
前記第１のレンズ列から前記外光吸収層までの間が透明材料による中実構造であるレンチキュラーレンズシートであって、
前記第１のレンズ列及び前記第２のレンズ列を通過した光が集光して通過する外光吸収層上の開口窓の横幅ａと縦幅ｂの関係が、
０．６≦（Ｐ１−ａ）／Ｐ１≦０．９５        （１）
０．３≦（Ｐ２−ｂ）／Ｐ２≦０．８          （２）
０．２≦ｂ／ａ≦１．０                      （３）
の範囲内であることを特徴とするレンチキュラーレンズシート。
【請求項２】
入射面上に、水平方向のレンズ幅がＰ１＊、垂直方向のレンズ幅がＰ２＊であって、Ｐ１＊≧２．５×Ｐ２＊である単位レンズが複数配列してレンズアレイをなし、
前記各単位レンズを通過した光の非通過位置に設けられた外光吸収層を備えたマイクロレンズアレイシートであって、
前記各単位レンズを通過した光が集光して通過する外光吸収層上の開口窓の横幅ａ＊と縦幅ｂ＊の関係が、
０．６≦（Ｐ１＊−ａ＊）／Ｐ１＊≦０．９５        （１＊）
０．３≦（Ｐ２＊−ｂ＊）／Ｐ２＊≦０．８          （２＊）
０．２＜ｂ＊／ａ＊＜１．０                        （３＊）
の範囲内であることを特徴とするマイクロレンズアレイシート。
【請求項３】
画像投射装置より出射された光を概ね一定の角度の範囲内になるように絞り込む、拡散性を有するフレネルレンズシートと、請求項１記載のレンチキュラーレンズシートまたは請求項２記載のマイクロレンズアレイシートとを備えた背面投射型スクリーン。
【請求項４】
請求項３に記載の背面投射型スクリーンにおいて使用するフレネルレンズシートであって、水平方向の出射拡散視野角の１／１００値角θHが、
１．５°≦θH≦１５°                            （４）
の範囲内であり、
一方、垂直方向の出射拡散視野角の１／１００値角θVが、
２°≦θ≦７°                                  （５）
の範囲内であって、
且つ、θV／θHの比が、
０．４≦θV／θH≦４．５                          （６）
の範囲内の拡散性を有することを特徴とするフレネルレンズシート。
【請求項５】
フレネル刃面と反対側の面に、マイクロレンズアレイを備えたことを特徴とする、請求項４に記載のフレネルレンズシート。
【請求項６】
フレネル刃面と反対側の面に、複数のシリンドリカルレンズを整列配置させたことを特徴とする、請求項４に記載のフレネルレンズシート。
【請求項７】
フレネル基材中に等方性光拡散材を含有することを特徴とする、請求項４〜６のいずれか１項に記載のフレネルレンズシート。
【請求項８】
フレネル基材中に水平方向と垂直方向で光拡散性能が異なる異方性光拡散材を含有することを特徴とする、請求項４〜６のいずれか１項に記載のフレネルレンズシート。
【請求項９】
フレネル刃面と反対側の面をエンボス表面となし、光拡散性が付与されたことを特徴とする請求項４〜８のいずれか１項に記載のフレネルレンズシート。
【請求項１０】
映像光を生成し、出射する画像投射装置と、前記画像投射装置より出射された映像光が入射して画像が結像される請求項３に記載の背面投射型スクリーンとを備える背面投射型プロジェクションテレビ。
【発明の詳細な説明】
【技術分野】
【０００１】
本発明は、背面から画像を拡大投射して表示する、背面投射型プロジェクションテレビと、それに用いられるレンチキュラーレンズシート、フレネルレンズシート、背面投射型スクリーンに関する。
【背景技術】
【０００２】
背面投射型プロジェクションテレビ等に使用される背面投射型スクリーンは、一般に、２枚のレンズシートが重ね合わされた構成を有している。すなわち、光源側には、画像投射装置からの映像光を一定の角度の範囲内になるように絞り込むフレネルレンズシートが配置され、観察者側には、フレネルレンズシートを透過した映像光を適度な角度の範囲に広げる機能を有するレンチキュラーレンズシートまたはマイクロレンズアレイシート（以下これらを総称してレンチキュラーレンズシート等ということがある）が配置される。【０００３】
特に、高精細・高画質の背面投射型液晶プロジェクションテレビでは、レンチキュラーレンズシート等としてファインピッチを有するものが求められる。このようなレンズシートの構造は、例えば、特許文献１に開示されている。図９に特許文献１に開示されたレンズシートの構造を示す。図において、１は、レンチキュラーレンズシートであり、この例では、透明支持体３とレンズ部２より構成される。このレンチキュラーレンズシート１の出射面側には、レンチキュラーレンズの非集光位置、即ち光の非通過位置に外光吸収層４が設けられている。外光吸収層４を設けることによって、レンチキュラーレンズシート１に入射した外光のうち、レンチキュラーレンズシート１の出射面で反射されて観察者側に戻る光を減少させ、映像コントラストの向上が図られる。【０００４】
さらにこのレンチキュラーレンズシート１には、拡散層５を介して前面板と呼ばれる透明樹脂フィルム６が設けられている。この透明樹脂フィルム６については、例えば、特許文献４、特許文献５に開示されている。透明樹脂フィルム６は、レンチキュラーレンズシートを保護する、一般的なブラウン管方式のテレビに似た表面光沢を得る等の目的のために設けられる。【０００５】
その他、図９には示されていないが、レンチキュラーレンズシート１の入射面側に、フレネルレンズシートが設けられるのが一般的である。このフレネルレンズシートは、等間隔で同心円状の微細ピッチのレンズからなるフレネルレンズが光出射面に設けられたシートで構成されている。【０００６】
このような構成を有するレンチキュラーレンズシートでは、水平方向の視野角性能は主として入射レンズによる拡散で得られるが、垂直方向の拡散性能は拡散層５によってのみ達成しうる。従って、必要とされる垂直視野角を得るために投入された拡散材による入射光の反射ロスを生じ、原理的に高輝度なスクリーンを得ることに限界があると同時に、画像のボケが生じやすい。また、拡散層５が外光吸収層４を覆うため、外光吸収効率が下がり、コントラストが劣化し、また、外光吸収層４は、原理的にストライプ状にしか形成できず、得られるブラック比率に限界があった。【０００７】
更に、特許文献２に記載の通り、前記拡散層５を２次側拡散要素とした場合、該フレネルレンズシート側に１次側拡散要素を備え、前記拡散層５との距離を置くことで、（１）ギラツキ（シンチレーション）防止、及び（２）フレネル暗線とのモアレ防止、更には（３）該レンチキュラーレンズシートのシリンドリカルレンズ谷部の金型欠陥（タオレ、バリ、欠け等）や汚れ付着等に起因する模様欠点を目立たなくする等の機能も果たしており、前記１次側拡散要素は、背面投射型スクリーンとして必要不可欠な構成要素となっている。【０００８】
一方、特許文献３に記載のレンチキュラーレンズの場合に於いても、レンズの屈折機能によるカットオフ角以上の視野角を得ることの目的のほかに、前述の、ギラツキ防止、（２）モアレ防止、（３）各種模様欠点の視認性軽減の必要性から、一般的に、フレネルレンズシートに１次側拡散要素を設けている。【０００９】
【特許文献１】特開平９−１２０１０１号公報
【特許文献２】特開平８−３１３８６５号公報
【特許文献３】特願２００３−０１４３８号の明細書および図面
【特許文献４】特開平８−２２０７７号公報
【特許文献５】特開平７−３０７９１２号公報
【発明の開示】
【発明が解決しようとする課題】
【００１０】
しかしながら、前記のフレネルレンズシートに付与された１次側拡散要素の適正化が図られていないと、前記従来技術（特許文献１）によるストライプ状の外光吸収層を有するレンズシートにおいても、また、新規発案（特許文献３）によるクロスレンチ方式による格子状の外光吸収層を有するレンズシートにおいてもフレネルレンズシートを透過した投射光の一部が、外光吸収層の領域に入って遮断され、全光線透過率が損なわれるという大きな問題があった。【００１１】
本発明の目的は、このような問題を解決するためになされたものであり、全光線透過率（投射光に対する光有効利用率）を損なうことなく、コントラストの向上を図り、且つ、（ｉ）ギラツキ防止、（ii）モアレ防止、（iii）各種模様欠点の視認性の軽減が可能なレンチキュラーレンズシート、フレネルレンズシート、背面投射型スクリーン、及び背面投射型プロジェクションテレビを提供することである。
【課題を解決するための手段】
【００１２】
本発明にかかるレンチキュラーレンズシートは、入射面上に、略垂直方向に長手方向を有しピッチＰ１で略水平方向に配列した第１のレンズ列（例えば、本発明の実施の形態におけるレンチキュラーレンズ１２）と、前記第１のレンズ列より光出射側に形成され、前記第１のレンズ列とほぼ直交する方向にピッチＰ２で配列した第２のレンズ列であって、当該第２のレンズ列のレンズ界面の両側が屈折率の異なる透明材料により構成されている第２のレンズ列（例えば、本発明の実施の形態におけるレンチキュラーレンズ１３）と、前記第１のレンズ列及び前記第２のレンズ列を通過した光の非通過位置に設けられた外光吸収層１７とを備え、前記第１のレンズ列から前記外光吸収層までの間が透明材料による中実構造としたものであり、前記第１のレンズ列及び前記第２のレンズ列を通過した光が集光して通過する外光吸収層上の開口窓の横幅ａと縦幅ｂの関係が、
０．６≦（Ｐ１−ａ）／Ｐ１≦０．９５      （１）
０．３≦（Ｐ２−ｂ）／Ｐ２≦０．８        （２）
０．２≦ｂ／ａ≦１．０                    （３）
の範囲であることを特徴とするレンチキュラーレンズシートである。【００１３】
また、本発明にかかるマイクロレンズアレイシートは、入射面上に、水平方向のレンズ幅がＰ１＊、垂直方向のレンズ幅がＰ２＊であって、Ｐ１＊≧２．５×Ｐ２＊である単位レンズが複数配列してレンズアレイをなし、前記各単位レンズを通過した光の非通過位置に設けられた外光吸収層を備えたマイクロレンズアレイシートであって、前記各単位レンズを通過した光が集光して通過する外光吸収層上の開口窓の横幅ａ＊と縦幅ｂ＊の関係が、
０．６≦（Ｐ１＊−ａ＊）／Ｐ１＊≦０．９５        （１＊）
０．３≦（Ｐ２＊−ｂ＊）／Ｐ２＊≦０．８          （２＊）
０．２≦ｂ＊／ａ＊≦１．０                        （３＊）
の範囲内であることを特徴とするマイクロレンズアレイシートである。【００１４】
そして本発明に係る背面投射型スクリーンは、画像投射装置より出射された光を概ね一定の角度の範囲内になるように絞り込む、拡散性を有するフレネルレンズシートと、上記のレンチキュラーレンズシート等とを備えた背面投射型スクリーンである。このような構成とすることにより、前記レンチキュラーレンズシート等に入射した投射光が出射面に形成された外光吸収層に遮断されること無く全光線透過率が損なわれずに、実質的な外光吸収層の面積を８０％から９５％近くまで確保でき、コントラストが格段に良好で、しかもギラツキやモアレ障害がなく、また金型欠陥に起因するスジ模様等も目立たない極めて画質が良好な背面投射型スクリーンを得ることができる。【００１５】
更に好適には、本発明による前記レンチキュラーレンズシート等と組み合わせて使用するフレネルレンズシートに付与する、１次側拡散要素としての補助拡散特性を、
水平方向の出射拡散視野角の１／１００値角θHが、
１．５°≦θH≦１５°                  （４）
の範囲内であり、
一方、垂直方向の出射拡散視野角の１／１００値角θVが、
２°≦θV≦７°                        （５）
の範囲内であって、
且つ、θV／θHの比が、
０．４≦θV／θH≦４．５                （６）
の範囲としたものである。
【発明の効果】
【００１６】
本発明によれば、全光線透過率（投射光に対する光有効利用率）を損なうことなく、コントラストが向上でき、かつ、ギラツキ防止、モアレ防止、および各種模様欠点の視認性軽減が可能となるレンチキュラーレンズシート、フレネルレンズシート、背面投射型スクリーン、背面投射型プロジェクションテレビを提供することができる。
【図面の簡単な説明】
【００１７】
【図１】本発明による背面投射型スクリーンの、水平断面図、垂直断面図、及び正面図である。
【図２】本発明による背面投射型スクリーン用レンチキュラーレンズシートの、水平断面図、垂直断面図、及び正面図におけるレンズ単位１つの拡大図である。
【図３】本発明によるレンチキュラーレンズシートと拡散前面板とを貼合した背面投射型スクリーンの構成の一部を示す斜視図である。
【図４】本発明による背面投射型プロジェクションテレビの構成例である。
【図５】第１のレンズ列および第２のレンズ列における、平行入射光に関する光路図である。
【図６】第１のレンズ列および第２のレンズ列における、傾斜入射光に関する光路図である。
【図７】レンチキュラーレンズシートの水平あるいは垂直方向の各遮光幅比率と傾斜入射角εの関係を示す図である。
【図８】本発明によるレンチキュラーレンズシートと組み合わせて使用する拡散性を付与したフレネルレンズシートの例である。
【図９】外光吸収層の遮光パターンがストライプ状となる、従来技術のレンチキュラーレンズシートの水平断面図である。
【符号の説明】
【００１８】
１  レンチキュラーシート
２  レンズ部
３  透明支持体
４  外光吸収層（ストライプ状の遮光パターン）
５  拡散層
６  透明樹脂フィルム
１０  レンチキュラーレンズシートＡ
１１  レンチキュラーレンズシートＢ
１２  第１のレンズ列
１３  第２のレンズ列
１４  第１のレンズ層
１５  第２のレンズ層
１６  外光吸収層上の開口窓部
１７  外光吸収層
１８  接着層
１９  拡散前面板
４０  屈折型フレネルレンズシートのフレネル刃面
４１  全反射型フレネルレンズシートのフレネル刃面
４２  シリンドリカルレンチキュラーレンズ
４３  プリズムレンチキュラーレンズ
４４  フレネル基材中の拡散層
４５  エンボス面
５１  投射管
５２  ミラー
５３  背面投射型スクリーン
１００  フレネルレンズシートを経たレンチキュラーレンズへの平行光
５３１  フレネルレンズシート
５３２  レンチキュラーレンズシート
５３３  拡散前面板
【発明を実施するための最良の形態】
【００１９】
以下に、具体的な本発明に基づいて設計されたレンチキュラーレンズシートのレンズ単位要素をもとに、直交する各シリンドリカルレンズの各レンズピッチＰ１、Ｐ２と外光吸収層の開口窓に関する横幅ａ、縦幅ｂとの関係、および該レンチキュラーレンズシートと組み合わせて使用するフレネルレンズシートの拡散特性の限界角度θH、θVとの関係を説明する。【００２０】
図１〜図４に、水平方向の焦点と垂直方向の焦点とをほぼ１点に集光させた、本発明による代表的なレンチキュラーキュラーレンズシートおよびそれを用いた背面投射型スクリーン並びに背面投射型プロジェクションテレビを示す。図１はフレネルレンズシート、レンチキュラーレンズシート、前面板よりなる背面投射型スクリーンの３面図であり、図２は、図１で用いられるレンチキュラーレンズシートにおけるレンズ単位１つの拡大図であって、互いに直行する各レンズピッチＰ１、Ｐ２と、開口窓の横幅ａと縦幅ｂとの関係を示す説明図であり、フレネルレンズシートからの平行入射光の光路を付記してある。また、図３は該レンチキュラーレンズシートと前面板とを組み合わせたの斜視図であり、図４は該背面投射型スクリーンを備えた背面投射型プロジェクションテレビの構成例である。通常、背面投射型プロジェクションテレビでは図４では図示されないキャビネットに、図４に示される光学系が格納されている。
また、レンズ単位要素の基材屈折率と各寸法諸元の一例を表１に示す。【００２１】
【表１】
2006030701.tif 000002
【００２２】
図５（Ａ）は、組み合わせて使用するフレネルレンズにより、前記レンチキュラーレンズシートの入射面に対し垂直に入射した場合に於ける、水平拡散用の第１のレンズ列の赤道断面に関する主光線の光線追跡の計算結果を示す。第１のレンズ列のピッチは０．１ｍｍであり、第１のレンズ層（アクリル系紫外線硬化型樹脂）の基材屈折率は１．４９である。この場合、フレネルレンズシートからの平行入射光に対する水平視野角として、±約３８°が得られることが判る。【００２３】
図５（Ｂ）は、第１のレンズ列を経て、垂直拡散用の第２のレンズ列を通過する子午線断面に関する主光線の光線追跡計算の計算結果を示す。第の２レンズ列のレンズピッチは０．０２２ｍｍであり、第２のレンズ層（ＭＳ系樹脂）の基材屈折率は１．５８である。この場合、フレンネルレンズシートからの平行入射光に対する垂直視野角としては、±約１０°が得られることが判る。（尚、図５（Ａ），（Ｂ）は何れも２次元扱いでの近似計算であるが、レンズ単位要素の縦方向、横方向の各中心断面に関する計算のため、３次元での計算結果と大差は生じない。）【００２４】
次に、外光吸収層の幅に対するレンズピッチの比率、即ち遮光比率が、幅が水平、垂直方向ともに、（Ｐ１−ａ／）Ｐ１＝（Ｐ２−ｂ）／Ｐ２＝６０％と等しく、トータルの遮光面積比率が、６０％＋（１００％−６０％）×６０％＝８４％の場合に於いて、該レンチキュラーレンズシートへの、補助拡散性が付与されたフレネルレンズシートによる、傾斜入射角εがともに４°の場合に付いて光路を確認すると、図６（Ａ）、図６（Ｂ）の通り、第１のレンズ列による入射光が総て透過するのに対し、第２のレンズ列による透過光の一部が、外光吸収層にケラレる（光路が中途で遮断される）ことが判る。【００２５】
同様にして、傾斜入射角εとケラレを生じない限界の前記遮光比率の関係を求めると、図７が得られる。【００２６】
図７から明らかな通り、同一の傾斜入射光線εに対する第２レンズ列による透過光の外光吸収層のケラレは、第１のレンズ列による透過光のケラレの概ね、３倍近いことが判る。その理由は、レンズ列のレンズピッチＰ（レンズ幅）に対する焦点距離ｆの比（Ｆ値）が、ｆ１／Ｐ１≒１．４３に対し、ｆ２／Ｐ２≒４．７６と３倍強と大きいために、傾斜入射光線に対する焦点位置が上下に大きく振れることが原因である。【００２７】
本発明は、前述の解析結果から鋭意工夫されたものであり、拡散性が付与されたフレネルレンズシートによる傾斜入射光成分（１次側拡散要素）が、外光吸収層にケラレることが無いように、レンチキュラーレンズシートの外光吸収層の開口窓の形状を前記条件式（１）、（２）および（３）を満足するよう適正化する、より好適には、ケラレを生じ易い前記フレネルレンズシートの垂直方向の拡散成分を前記条件式（４）、（５）および（６）を満足するよう適正化し、両者の組み合わせることにより、全光線透過率を向上させ、且つ外光吸収層の実質的な遮光面積比率を８０％から９５％近くまで確保できるようにしたものである。【００２８】
次に、本発明によるレンチキュラーレンズシートの外光吸収層に設けられる開口窓の適正化に関する、横幅ａと縦幅ｂの制御方法について簡単に説明する。
互いにほぼ直交する形で整列配置されたシリンドリカルな第１のレンズ列、及び第２のレンズ列を有する、前記レンチキュラーレンズシート原反の出射面側に、まず、
（ａ）紫外線硬化により非粘着となる紫外線硬化型樹脂からなる粘着層を転写ラミネートする。
次に、
（ｂ）第１のレンズ列の整列方向とほぼ平行な形で紫外線を照射する。
この紫外線照射により、自動的に、前記粘着層の集光部は硬化して非粘着性となり、一方、非集光部は粘着性を残したままとなる。【００２９】
ここで、前記（ｂ）の自動選択露光プロセスに於いて、予め前記粘着層が転写ラミネートされた前記レンチキュラーレンズ原反と前記平行紫外線照射源との間に、互いに平行に整列配置されたプリズムシート、若しくはシリンドリカルな片面レンチキュラ−レンズシートを挿入することにより、前記レンチキュラーレンズシートの第１のレンズ列に対しては広がった紫外線が照射され、一方、第２のレンズ列に対してはほぼ平行光のままで紫外線を照射されることができる。また、前記プリズムシート、或いは前記片面レンチキュラーレンズシートの挿入方向Uを９０°方向転換すれば、逆の関係が得られることになる。このようにして、紫外線照射による粘着層の硬化領域を適正範囲に制御する。【００３０】
次に、
（ｃ）外光吸収層を転写ラミネートした後に、これをピーリングする。
尚、本発明に係る背面投射型液晶プロジェクションテレビ用レンチキュラーレンズシートは、第１のレンズ列のレンズピッチＰ１が０．３ｍｍ以下のファインピッチであり、第２のレンズ列のレンズ列Ｐ２は前記Ｐ１の１／３から１／５となるため、前記開口窓の縦幅ｂに対する前記レンズピッチＰ２の比ｂ／Ｐ２を適正化（前記条件式：（１）、（２）、（３））しないと、前記ピーリングの際に隣り合う開口窓がつながったり、逆に開口窓が小さすぎて、除去できないという問題が生じる。【００３１】
以上に示した（ａ）乃至（ｃ）の製造プロセスにより、外光吸収層上に形成される開口窓の縦幅と横幅が自在に制御できることになる。尚、外光吸収層を付与する前のレンチキュラーレンズシート本体の製造方法、及び外光吸収層の転写方法等については、特許文献３の記載が本発明においても適用可能である。【００３２】
以上、互いに直交する２つのレンズ列の組み合わせてなるレンチキュラーレンズシートを例に説明してきたが、入射側レンズが独立したレンズ単位よりなるマイクロレンズアレイシートであっても、同様にして外光吸収層上の開口窓部を設計することが可能である。【００３３】
上記のレンチキュラーレンズ等と画像投射装置より出射された光を概ね一定の角度の範囲内になるように絞り込む、拡散性を有するフレネルレンズシートとを組み合わせて背面投射型スクリーンを得ることができるが、これらのフレネルレンズシートの拡散性としては、
水平方向の出射拡散視野角の１／１００値角θHが、
１．５°≦θH≦１５°                  （４）      
の範囲内であり、
一方、垂直方向の出射拡散視野角の１／１００値角θVが、
２°≦θV≦７°                        （５）
の範囲内であって、
且つ、θV／θHの比が、
０．４≦θV／θH≦４．５                （６）
を満足することが好ましい。θHまたはθVの値が上記の範囲を超えて大きいと、レンチキュラーレンズシート等の外光吸収層によるケラレが生じ易く、光の利用効率が低下する場合があり、一方、θHまたはθVの値が上記の範囲を超えて小さいと、ギラツキやモアレの発生を充分抑制することができなくなる場合があり、それぞれ好ましくない。【００３４】
上記のフレネルレンズシートについての具体的態様を図８（ａ）〜（ｆ）に示す。図８（ａ）〜（ｆ）は、それぞれ、（ａ）フレネル刃面と反対側の面がマイクロレンズアレイ状の場合、（ｂ）フレネル刃面と反対側の面がシリンドリカル状のレンチキュラーレンズ列の場合、（ｃ）フレネル刃面と反対側の面がプリズム状のレンチキュラーレンズ列の場合、（ｄ）フレネル刃面と反対側の面がプリズム状のレンチキュラーレンズ列であり、且つフレネルレンズシートの基材中に拡散層が設けられた場合、（ｅ）フレネル刃面と反対側の面がエンボス面で有る場合、（ｆ）フレネル刃面と反対側の面がシリンドリカル状のレンチキュラーレンズ列である全反射型フレネルレンズシートの場合を示している。フレネルの基材中に拡散層を設ける場合は、等方性光拡散材を用いることができるし、また、水平方向と垂直方向で光拡散性能が異なる異方性光拡散材を用いることもできる。これらのフレネルレンズシートはプレス法、紫外線硬化樹脂によるキャスト法など公知の技術で容易に製造可能である。【００３５】
以下に、本発明の具体的な実施の形態について図表を参照して説明する。何れの形態に於いても、第１のレンズ列のレンズピッチを０．１ｍｍに設定して説明しているが、他の値を設定可能であることはいうまでもない。【００３６】
発明の実施の形態１．
表２に本実施の形態の場合の背面投射型スクリーンの構成要素と、得られたスクリーン性能を示す。なお、表中の記号は表１に記載のものと共通である。【００３７】
【表２】
2006030701.tif 000003
【００３８】
本実施の形態において組み合わせた拡散性を付与したフレネルレンズシートは、等方性拡散材を該シート基材中に混練させたものであり、その拡散性の１／１００値角θH、θVはそれぞれ、約５．２°から５．４°であった。一方、本実施の形態におけるレンチキュラーレンズシートは、第１のレンズ列による水平方向の外光吸収層の開口窓の横幅ａを０．０２ｍｍに、第２のレンズ列による垂直方向の外光吸収層の開口窓の縦幅ｂを０．０１１ｍｍにそれぞれ制御したことによる、トータルブラック面積比率が９０％という極めてコントラスト性能が高いものを用いた。また、該レンチキュラーレンズシートの全光線透過率は７７％となり、外光吸収層のケラレによる投射光の損失は殆ど無かった。【００３９】
発明の実施の形態２．
表３に本実施の形態の場合の背面投射型スクリーンの構成要素と、得られたスクリーン性能を示す。なお、表中の記号は表１に記載のものと共通である。【００４０】
【表３】
2006030701.tif 000004
【００４１】
本実施の形態において拡散性を付与したフレネルレンズシートは、フレネル刃面と反対側の面にピラミッド状のマイクロレンズアレイを備えたもので、１／１００値角θHは約７．４°、θVは約２．３°であった。一方、本実施の形態におけるレンチキュラーレンズシートは、第１のレンズ列による水平方向の外光吸収層の開口窓の横幅ａを０．０２５ｍｍに、第２のレンズ列による垂直方向の外光吸収層の開口窓の縦幅ｂを０．００５ｍｍに制御したことによる、トータルブラック面積比率が９４％という極めてコントラスト性能が高いものを用いた。ここで、縦幅ｂが０．００５ｍｍより小さくなると、開口窓の黒色転写フィルムのピーリング性が低下し、ドット欠陥を生じることが判った。また、該レンチキュラーレンズシートの全光線透過率は８１％弱となり、外光吸収層のケラレによる投射光の損失は殆ど無かった。【００４２】
発明の実施の形態３．
表４に本実施の形態の場合の背面投射型スクリーンの構成要素と、得られたスクリーン性能を示す。なお、表中の記号は表１に記載のものと共通である。【００４３】
【表４】
2006030701.tif 000005
【００４４】
本実施の形態における拡散性を付与したフレネルレンズシートは、フレネル刃面と反対側の面に片面レンチキュラーレンズを備え、且つ、等方拡散性の拡散材を該レンズ基材中に混練したものであり、θHは約５．６°、θVは約３．６°であった。一方、本実施の形態におけるレンチキュラーレンズシートは、第１のレンズ列による水平方向の外光収層の開口窓の横幅ａを０．０２ｍｍ、第２のレンズ列による垂直方向の外光収層の開口窓の縦幅ｂを０．００９ｍｍに制御したことによる、トータルブラック面積比率が９４％という極めてコントラスト性能が高いものを用いた。また、該レンチキュラーレンズシートの全光線透過率は８２％弱となり、外光吸収層のケラレによる投射光の損失は殆ど無かった。【００４５】
発明の実施の形態４．
表５に本実施の形態の場合の背面投射型スクリーンの構成要素と、得られたスクリーン性能を示す。なお、表中の記号は表１に記載のものと共通である。【００４６】
【表５】
2006030701.tif 000006
【００４７】
本実施の形態における拡散性を付与したフレネルレンズシートは、等方性拡散材を該シート基材中に混練させたものであり、その拡散性のθH、θVは約６°であった。一方、本実施の形態におけるレンチキュラーレンズシートは、第１のレンズ列による水平方向の外光吸収層の開口窓の横幅ａを０．０２ｍｍに、第２のレンズ列による垂直方向の外光吸収層の開口窓の縦幅ｂを０．０１３ｍｍに制御したことによる、トータルブラック面積比率が９０％の極めてコントラスト性能が高いものを用いた。また、該レンチキュラーレンズシートの全光線透過率は８０％となり、外光吸収層のケラレによる投射光の損失は殆ど無かった。
【図５】
2006030701.tif 000007
【図６】
2006030701.tif 000008
【図７】
2006030701.tif 000009
【図１】
2006030701.tif 000010
【図２】
2006030701.tif 000011
【図３】
2006030701.tif 000012
【図４】
2006030701.tif 000013
【図８】
2006030701.tif 000014
【図９】
2006030701.tif 000015
【国際調査報告】
2006030701.tif 000016
2006030701.tif 000017